【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおいて、
ワイヤレス通信ネットワークを介して通信するように構成されている移動局モデムと、
前記移動局モデムに結合され、動作を実行するためのプロセッサ実行可能命令を有するように構成されているプロセッサとを具備し、
前記動作は、
前記ワイヤレス通信ネットワークを通したグループ通信において互いに通信するワイヤレス通信デバイスの通信グループのメンバーとして通信することと、
前記ワイヤレス通信ネットワークを通してグループ通信コンピュータデバイスに、前記通信グループの他のメンバーにグループ向けメディアを送信する要求とともに、前記グループ向けメディアを選択的に送信することと、
前記通信グループの少なくとも１つのメンバーワイヤレスデバイスによって前記グループ向けメディアが受信されたという肯定応答を、前記ワイヤレス通信デバイスにおいて受信することとを含み、
前記グループ通信コンピュータデバイスに前記グループ向けメディアを選択的に送信することは、
前記グループ向けメディアのサイズがデータ配信限度を超えない場合は、前記グループ通信コンピュータデバイスに前記グループ向けメディアを送信することを含み、
前記グループ向けメディアのサイズが前記データ配信限度を超える場合は、データストアに前記グループ向けメディアを送信することと、前記グループ向けメディアのプレビューを作成することと、前記グループ通信コンピュータデバイスに前記グループ向けメディアのプレビューを送信することとを含むワイヤレス通信デバイス。
【請求項２】
前記プロセッサは、前記ワイヤレス通信ネットワークを通して少なくとも１つのワイヤレス通信デバイスからグループ向けメディアを受信することをさらに含む動作を実行するためのプロセッサ実行可能命令を有するように構成されている、請求項１に記載のワイヤレス通信デバイス。
【請求項３】
前記プロセッサは、前記送信されるグループ向けメディアがグラフィックメディアであるような動作を実行するためのプロセッサ実行可能命令を有するように構成されている、請求項１に記載のワイヤレス通信デバイス。
【請求項４】
前記プロセッサは、前記送信されるグループ向けメディアがストリーミングメディアであるような動作を実行するためのプロセッサ実行可能命令を有するように構成されている、請求項１に記載のワイヤレス通信デバイス。
【請求項５】
前記プロセッサは、前記送信されるグループ向けメディアが前記ワイヤレス通信ネットワーク上の別のコンピュータデバイスにおける対話型セッションであるような動作を実行するためのプロセッサ実行可能命令を有するように構成されている、請求項４に記載のワイヤレス通信デバイス。
【請求項６】
前記ワイヤレス通信ネットワークを通して前記グループ通信コンピュータデバイスに、前記通信グループの他のメンバーにグループ向けメディアを送信する要求とともに、前記グループ向けメディアを選択的に送信することが、前記ワイヤレス通信ネットワークを通して前記グループ通信コンピュータデバイスに、前記通信グループの前記他のメンバーにハイパーリンクを送信する要求とともに、前記グループ向けメディアを送信することを含むような動作を実行するためのプロセッサ実行可能命令を有するように、前記プロセッサは構成されており、
前記ハイパーリンクは、前記データストアにおいて記憶されている前記グループ向けメディアへのリンクを提供する、請求項４に記載のワイヤレス通信デバイス。
【請求項７】
前記プロセッサは、前記グループ通信コンピュータデバイスに、前記グループ向けメディアとともに通信グループ識別データを送信することをさらに含む動作を実行するためのプロセッサ実行可能命令を有するように構成されている、請求項１に記載のワイヤレス通信デバイス。
【請求項８】
前記プロセッサは、前記グループ向けメディアを送信するより前に、前記通信グループのメンバーデータを、前記グループ通信コンピュータデバイスから要求することをさらに含む動作を実行するためのプロセッサ実行可能命令を有するように構成されている、請求項１に記載のワイヤレス通信デバイス。
【請求項９】
前記グループ通信コンピュータデバイスにグループ向けメディアを選択的に送信することが、前記ワイヤレス通信デバイスが前記通信グループの他のワイヤレス通信デバイスとのグループ通信に関与するときに遂行されるような動作を実行するためのプロセッサ実行可能命令を有するように、前記プロセッサは構成されている、請求項１に記載のワイヤレス通信デバイス。
【請求項１０】
ワイヤレス通信ネットワークを通したグループ通信において互いに通信する、通信グループに属している複数のワイヤレス通信デバイス間のグループ通信における、ワイヤレス通信デバイスからのメディアを共有するための方法において、
前記方法は、
前記ワイヤレス通信デバイスからグループ通信コンピュータデバイスに、前記通信グループの他のメンバーにグループ向けメディアを送信する要求とともに、前記グループ向けメディアを選択的に送信することと、
前記通信グループの少なくとも１つのメンバーワイヤレスデバイスによって前記グループ向けメディアが受信されたという肯定応答を、前記ワイヤレス通信デバイスにおいて受信することとを含み、
前記グループ通信コンピュータデバイスに前記グループ向けメディアを選択的に送信することは、
前記グループ向けメディアのサイズがデータ配信限度を超えない場合は、前記グループ通信コンピュータデバイスに前記グループ向けメディアを送信することを含み、
前記グループ向けメディアのサイズが前記データ配信限度を超える場合は、データストアに前記グループ向けメディアを送信することと、前記グループ向けメディアのプレビューを作成することと、前記グループ通信コンピュータデバイスに前記グループ向けメディアのプレビューを送信することとを含む方法。
【請求項１１】
前記グループ向けメディアを送信することは、グラフィックメディアを送信することを含む、請求項１０に記載の方法。
【請求項１２】
前記グループ向けメディアを送信することは、ストリーミングメディアを送信することを含む、請求項１０に記載の方法。
【請求項１３】
前記グループ向けメディアを送信することは、前記ワイヤレス通信ネットワーク上の別のコンピュータデバイスにおける対話型セッションへのリンクを送信することを含む、請求項１０に記載の方法。
【請求項１４】
前記ワイヤレス通信デバイスから前記グループ通信コンピュータデバイスに、前記通信グループの他のメンバーにグループ向けメディアを送信する要求とともに、前記グループ向けメディアを選択的に送信することは、前記通信グループの前記他のメンバーにハイパーリンクを送信する要求とともに、前記グループ通信コンピュータデバイスに前記グループ向けメディアを送信することを含む、請求項１３に記載の方法。
【請求項１５】
前記ワイヤレス通信ネットワークを通して別のワイヤレス通信デバイスから、前記ワイヤレス通信デバイスにおいてグループ向けメディアを受信することをさらに含む、請求項１０に記載の方法。
【請求項１６】
前記グループ向けメディアを送信するより前に、前記ワイヤレス通信デバイスから前記グループ通信コンピュータデバイスに通信グループ識別データを送信することをさらに含む、請求項１０に記載の方法。
【請求項１７】
前記グループ向けメディアを送信するより前に、前記通信グループのメンバーデータを、前記グループ通信コンピュータデバイスから要求することをさらに含む、請求項１０に記載の方法。
【請求項１８】
前記ワイヤレス通信ネットワークを通して別のコンピュータデバイスから前記ワイヤレス通信デバイスに送信されることを要求されたグループ向けメディアのプレビューを受信することをさらに含む、請求項１０に記載の方法。
【請求項１９】
ワイヤレス通信デバイスにおいて、
ワイヤレス通信ネットワークを介してグループ通信コンピュータデバイスに、通信グループの他のメンバーにグループ向けメディアを送信する要求とともに、前記グループ向けメディアを選択的に送信する手段と、
前記通信グループの少なくとも１つのメンバーワイヤレスデバイスによって前記グループ向けメディアが受信されたという肯定応答を、前記ワイヤレス通信デバイスにおいて受信する手段とを具備し、
前記グループ通信コンピュータデバイスに前記グループ向けメディアを選択的に送信する手段は、
前記グループ向けメディアのサイズがデータ配信限度を超えない場合は、前記グループ通信コンピュータデバイスに前記グループ向けメディアを送信する手段を備え、
前記グループ向けメディアのサイズが前記データ配信限度を超える場合は、データストアに前記グループ向けメディアを送信する手段と、前記グループ向けメディアのプレビューを作成する手段と、前記グループ通信コンピュータデバイスに前記グループ向けメディアのプレビューを送信する手段とを備えるワイヤレス通信デバイス。
【請求項２０】
前記グループ向けメディアを送信する手段は、グラフィックメディアを送信する手段を備える、請求項１９に記載のワイヤレス通信デバイス。
【請求項２１】
前記グループ向けメディアを送信する手段は、ストリーミングメディアを送信する手段を備える、請求項１９に記載のワイヤレス通信デバイス。
【請求項２２】
前記グループ向けメディアを送信する手段は、前記ワイヤレス通信ネットワーク上の別のコンピュータデバイスにおける対話型セッションへのリンクを送信する手段を備える、請求項１９に記載のワイヤレス通信デバイス。
【請求項２３】
前記ワイヤレス通信デバイスから前記グループ通信コンピュータデバイスに、前記通信グループの他のメンバーにグループ向けメディアを送信する要求とともに、前記グループ向けメディアを選択的に送信する手段は、前記通信グループの前記他のメンバーにハイパーリンクを送信する要求とともに、前記グループ通信コンピュータデバイスに前記グループ向けメディアを送信する手段を備える、請求項２２に記載のワイヤレス通信デバイス。
【請求項２４】
前記ワイヤレス通信ネットワークを通して別のワイヤレス通信デバイスから、前記ワイヤレス通信デバイスにおいてグループ向けメディアを受信する手段をさらに具備する、請求項１９に記載のワイヤレス通信デバイス。
【請求項２５】
前記グループ向けメディアを送信するより前に、前記ワイヤレス通信デバイスから前記グループ通信コンピュータデバイスに通信グループ識別データを送信する手段をさらに具備する、請求項１９に記載のワイヤレス通信デバイス。
【請求項２６】
前記グループ向けメディアを送信するより前に、前記通信グループのメンバーデータを、前記グループ通信コンピュータデバイスから要求する手段をさらに具備する、請求項１９に記載のワイヤレス通信デバイス。
【請求項２７】
前記ワイヤレス通信ネットワークを通して別のコンピュータデバイスから前記ワイヤレス通信デバイスに送信されることを要求されたグループ向けメディアのプレビューを受信する手段をさらに具備する、請求項１９に記載のワイヤレス通信デバイス。
【請求項２８】
ワイヤレス通信デバイスのプロセッサに動作を実行させるように構成されているプロセッサ実行可能命令をその上に記憶する非一時的プロセッサ可読記録媒体において、
前記動作は、
ワイヤレス通信ネットワークを介してグループ通信コンピュータデバイスに、通信グループの他のメンバーにグループ向けメディアを送信する要求とともに、前記グループ向けメディアを選択的に送信することと、
前記通信グループの少なくとも１つのメンバーワイヤレスデバイスによって前記グループ向けメディアが受信されたという肯定応答を、前記ワイヤレス通信デバイスにおいて受信することとを含み、
前記グループ通信コンピュータデバイスに前記グループ向けメディアを選択的に送信することは、
前記グループ向けメディアのサイズがデータ配信限度を超えない場合は、前記グループ通信コンピュータデバイスに前記グループ向けメディアを送信することを含み、
前記グループ向けメディアのサイズが前記データ配信限度を超える場合は、データストアに前記グループ向けメディアを送信することと、前記グループ向けメディアのプレビューを作成することと、前記グループ通信コンピュータデバイスに前記グループ向けメディアのプレビューを送信することとを含む非一時的プロセッサ可読記録媒体。
【請求項２９】
前記グループ向けメディアを送信することが、グラフィックメディアを送信することを含むような動作を、前記ワイヤレス通信デバイスに実行させるように、前記記憶されているプロセッサ実行可能命令は構成されている、請求項２８に記載の非一時的プロセッサ可読記録媒体。
【請求項３０】
前記グループ向けメディアを送信することが、ストリーミングメディアを送信することを含むような動作を、前記ワイヤレス通信デバイスに実行させるように、前記記憶されているプロセッサ実行可能命令は構成されている、請求項２８に記載の非一時的プロセッサ可読記録媒体。
【請求項３１】
前記グループ向けメディアを送信することが、前記ワイヤレス通信ネットワーク上の別のコンピュータデバイスにおける対話型セッションへのリンクを送信することを含むような動作を、前記ワイヤレス通信デバイスに実行させるように、前記記憶されているプロセッサ実行可能命令は構成されている、請求項２８に記載の非一時的プロセッサ可読記録媒体。
【請求項３２】
前記ワイヤレス通信デバイスから前記グループ通信コンピュータデバイスに、前記通信グループの他のメンバーにグループ向けメディアを送信する要求とともに、前記グループ向けメディアを選択的に送信することが、前記通信グループの前記他のメンバーにハイパーリンクを送信する要求とともに、前記グループ通信コンピュータデバイスに前記グループ向けメディアを送信することを含むような動作を、前記ワイヤレス通信デバイスに実行させるように、前記記憶されているプロセッサ実行可能命令は構成されている、請求項３１に記載の非一時的プロセッサ可読記録媒体。
【請求項３３】
前記記憶されているプロセッサ実行可能命令は、前記ワイヤレス通信ネットワークを通して別のワイヤレス通信デバイスから、前記ワイヤレス通信デバイスにおいてグループ向けメディアを受信することをさらに含む動作を、前記ワイヤレス通信デバイスに実行させるように構成されている、請求項２８に記載の非一時的プロセッサ可読記録媒体。
【請求項３４】
前記記憶されているプロセッサ実行可能命令は、前記グループ向けメディアを送信するより前に、前記ワイヤレス通信デバイスから前記グループ通信コンピュータデバイスに通信グループ識別データを送信することをさらに含む動作を、前記ワイヤレス通信デバイスに実行させるように構成されている、請求項２８に記載の非一時的プロセッサ可読記録媒体。
【請求項３５】
前記記憶されているプロセッサ実行可能命令は、前記グループ向けメディアを送信するより前に、前記通信グループのメンバーデータを、前記グループ通信コンピュータデバイスから要求することをさらに含む動作を、前記ワイヤレス通信デバイスに実行させるように構成されている、請求項２８に記載の非一時的プロセッサ可読記録媒体。
【請求項３６】
前記記憶されているプロセッサ実行可能命令は、前記ワイヤレス通信ネットワークを通して別のコンピュータデバイスから前記ワイヤレス通信デバイスに送信されることを要求されたグループ向けメディアのプレビューを受信することをさらに含む動作を、前記ワイヤレス通信デバイスに実行させるように構成されている、請求項２８に記載の非一時的プロセッサ可読記録媒体。